(57)【要約】【課題】  不正解錠用の道具により、サターンつまみに左右均等な偶力を作用させてサムターン軸を解錠方向に回動させようとしても、サムターン装置のサムターン軸が解錠方向に回動できないようにして、不正解錠が殆どできない扉錠用のサムターン装置と扉錠を提供すること。【解決手段】  サムターン軸１４の前部に設けたカバー体（サムターン）２０と、カバー体２０とサムターン軸１４の前部との間に設けたクラッチ機構３０と、クラッチ機構３０の係合子２３と被係合子１４６とを常時は離脱させるように付勢する付勢装置３１とを備え、通常時には、付勢装置３１の付勢力により係合子２３と被係合子１４６とが離脱され、カバー体２０はサムターン軸１４に対して回転可能であり、施解錠操作時には、カバー体２０を押すことにより係合子２３と被係合子１４６とが係合され、カバー体２０とサムターン軸１４が一体的に回動し施錠又は解錠方向に回動される。【選択図】        図１
2005068977.tif 000002
【特許請求の範囲】
【請求項１】
外筒と、この外筒に嵌挿したサムターン軸とを少なくとも備えた扉錠用のサムターン装置において、
前記サムターン軸の前部には該前部の外周面を被覆するように設けたカバー体と、このカバー体とサムターン軸の前部との間には両者の連結を遮断又は接続する係合子と被係合子とを有するクラッチ機構と、前記クラッチ機構の係合子と被係合子とを常時は離脱させるように付勢する付勢装置とを備え、
通常時には、前記付勢装置の付勢力によりクラッチ機構の係合子と被係合子とが離脱されて、前記カバー体はサムターン軸に対して回転可能であるとともに、
施解錠操作時には、前記付勢装置の付勢力に抗してカバー体を押すことによりクラッチ機構の係合子と被係合子とが係合されて、前記カバー体とサムターン軸が一体的に回動し、施錠又は解錠方向に回動されるように構成してあることを特徴とする扉錠用のサムターン装置。
【請求項２】
前記サムターン装置の外筒とサムターン軸の一方又は両方には、サムターン軸が傾動しない状態時にはサムターン軸は回動可能であり、サムターン軸が傾動した状態時には、サムターン軸の回動を阻止する回動阻止装置を設けてあるとともに、前記サムターン装置の外筒とサムターン軸の一方又は両方には、サムターン軸が傾動しない状態時にはサムターン軸をサムターン軸嵌挿孔の中心位置に保持するための中心位置保持装置が設けてある請求項１に記載の扉錠用のサムターン装置。
【請求項３】
請求項１記載の扉錠用のサムターン装置と、錠杆と該錠杆を出没する出没操作機構とを内装して扉に取り付けられる錠ケースとを備え、前記サムターン装置の操作によりサムターン軸を回動して前記錠杆を出没させ施錠又は解錠するようにしたことを特徴とする扉錠。
【請求項４】
前記サムターン装置の外筒とサムターン軸の一方又は両方には、サムターン軸が傾動しない状態時にはサムターン軸は回動可能であり、サムターン軸が傾動した状態時には、サムターン軸の回動を阻止する回動阻止装置を設けてあるとともに、前記サムターン装置の外筒とサムターン軸の一方又は両方には、サムターン軸が傾動しない状態時にはサムターン軸をサムターン軸嵌挿孔の中心位置に保持するための中心位置保持装置が設けてある請求項３に記載の扉錠。
【発明の詳細な説明】
【技術分野】
【０００１】  本発明は、不正な解錠を防止できる扉錠用のサムターン装置とそれを用いた扉錠に関する。
【背景技術】
【０００２】  最近、この種の扉錠においては、「サムターン回し」という錠の不正解錠行為が知られている。すなわち、このサムターン回しとは、扉錠を取り付けた扉と枠との隙間（いわゆるチリ）や、扉に穴をあけてその穴に針金や紐等の不正解錠用の道具を挿入し、この不正解錠用の道具を室内側に取り付けてあるサムターン装置のサムターンつまみに引掛けてサムターン軸を解錠方向に回動して、施錠状態の錠杆を後退して解錠するという、不正解錠行為である。【０００３】  これの対応策として、プラスチック製のＰＥＴボトルを輪切りしたカバーでサムターンつまみを被覆するようにしたものが提案されている。しかし、これに対しては、室外から前記プラスチック製のカバーを溶かして不正解錠が達成されているという問題があった。【０００４】  そこで、本願発明者は研究と実験を重ねた結果、サムターン回しによる不正解錠行為の場合、針金等の不正解錠用の道具を引掛けられたサムターン軸（サムターンつまみ）には、人間の手による場合と異なり、左右均等な一対の力である偶力とはならず、一方向に偏った力がかかり、前記サムターン軸は傾動してしまうことに着目した。【０００５】  上記の如き考察に基づいて、本願発明者は、特願２００３−１７４１４６号の扉錠とそのサムターン装置を提案した。すなわち、サムターン装置の外筒とサムターン軸の一方又は両方には、サムターン軸が傾動しない状態時にはサムターン軸は回動可能であり、不正解錠用の道具によってサムターン軸が傾動した状態時には、サムターン軸の回動を阻止する回動阻止装置を設けたことを特徴とするものである。【０００６】  先願の特願２００３−１７４１４６号のものによれば、前述の如く、扉と枠の隙間や扉に穿った１つの穴に１本の針金等の不正解錠用の道具を挿入してサムターンつまみに引掛け、サムターンつまみには一方向の力しかかからず偶力にならない場合には、優れた効果を発揮する。【０００７】  ところで、上記先願のものは、図２２に示すように、例えば、扉ａに室外側から室内側へ貫通する複数の穴ｈ・・・ｈをあけ、これらの穴ｈ・・・ｈに室外側から複数の針金等の不正解錠用の道具ｍ・・・ｍを差し込んで、サムターンつまみ１５に引掛けて左右均等な一対の力である偶力を作用させれば、サムターン軸１４は解錠方向に回動されて錠杆３が後退され、扉ａを開け不正侵入されてしまう、という問題がある。
【特許文献１】  特願２００３−１７４１４６号明細書及び図面
【発明の開示】
【発明が解決しようとする課題】
【０００８】  本発明の解決しようとする課題は、例えば複数の不正解錠用の道具によって、サターンつまみに左右均等な偶力を作用させてサムターン軸を解錠方向に回動させようとしても、サムターン装置のサムターン軸が解錠方向に回動できないようにして、不正解錠が殆どできない扉錠用のサムターン装置と扉錠を提供することを主な目的とする。
【課題を解決するための手段】
【０００９】  上記目的を達成するため、本発明の扉錠用のサムターン装置は、外筒と、この外筒に嵌挿したサムターン軸とを少なくとも備えた扉錠用のサムターン装置において、前記サムターン軸の前部には該前部の外周面を被覆するように設けたカバー体と、このカバー体とサムターン軸の前部との間には両者の連結を遮断又は接続する係合子と被係合子とを有するクラッチ機構と、前記クラッチ機構の係合子と被係合子とを常時は離脱させるように付勢する付勢装置とを備え、通常時には、前記付勢装置の付勢力によりクラッチ機構の係合子と被係合子とが離脱されて、前記カバー体はサムターン軸に対して回転可能であるとともに、施解錠操作時には、前記付勢装置の付勢力に抗してカバー体を押すことによりクラッチ機構の係合子と被係合子とが係合されて、前記カバー体とサムターン軸が一体的に回動し、施錠又は解錠方向に回動されるように構成してあることを特徴とする（請求項１参照）。【００１０】  ここで、カバー体はサムターンと同義語である。
また、カバー体（サムターン）は、通常時には回転（空転）されるようにしてあるので、該カバー体（サムターン）に室外側から不正解錠用の道具を複数本を引掛けて左右均等な力（偶力）でサムターン軸を回動しようとしても、前記カバー体（サムターン）はサムターン軸に対して空転するだけでサムターン軸を介して錠杆を後退して不正解錠することができない。それゆえ、施解錠する場合には、室内側から人間の手でカバー体（サムターン）を押してクラッチ機構を係合させ、カバー体（サムターン）とサムターン軸とを同体として施錠または解錠方向に回動する以外に施錠または解錠することができない。【００１１】  この場合において、前記サ厶ターン装置の外筒とサムターン軸の一方又は両方には、サムターン軸が傾動しない状態時にはサムターン軸は回動可能であり、サムターン軸が傾動した状態時には、サムターン軸の回動を阻止する回動阻止装置を設けてある（請求項２参照）方が好ましい。【００１２】  ここで、サムターン軸が傾動しない状態時とは、針金や紐等の不正解錠用の道具によらない正常な解錠操作（例えば人間の手でサムターン（カバー体）を押して回動操作）によってサムターン軸が回動される場合、サムターン軸には偶力、即ち左右均等な一対の力が作用するのでサムターン軸は傾動することがない状態であって、正常な操作状態の場合を意味する。一方、サムターン軸が傾動した状態時とは、例えば１つの穴へ針金や紐等の不正解錠用の道具を差し込んで回動操作しようとした時は、カバー体つまりサ厶ターン軸には一方向の力しか作用しない（偶力にならない）ので、サムターン軸は傾動する状態であって、不正な操作状態の場合を意味する。【００１３】  また、回動阻止装置とは、後述する実施形態で明らかになるが、サムターン装置の外筒とサムターン軸の一方又は両方に設けた歯車状の歯や、ゴム製Ｏリングなどをいう。要するに、外筒とサムターン軸の接触面に該サムターン軸が回動できない歯車またはその他の係止機構や摩擦係数の大きな素材などを採用すればよい。
この場合において、サムターン軸が傾動しない状態時には前記回動阻止装置が作動しないように、外筒のサムターン軸嵌挿孔に対するサムターン軸の中心位置を保持するための中心位置保持装置を、前記回動阻止装置とは異なる個所のサムターン軸と外筒の一方又は両方に設けることができる（請求項２参照）。この中心位置保持装置は必須のものではないが、例えば、図１３に示す如く付勢装置で付勢したピンや、付勢装置で付勢したボール等が挙げられる。【００１４】  サムターン装置のサムターン軸は、略棒状体のもの１本で構成してもよいが、実施例に示すように第１部材と第２部材の２部材で分割して構成して、両部材をジョイント部で連結してなるもの（図１〜図３、図９、図１０、図１３、図１７〜図２０参照）でもよく、適宜設計変更できる。【００１５】  本発明の扉錠用のサムターン装置を用いた扉錠は、請求項１記載の扉錠用のサムターン装置と、錠杆と該錠杆を出没する出没操作機構とを内装して扉に取り付けられる錠ケースとを備え、前記サムターン装置の操作によりサムターン軸を回動して前記錠杆を出没させ施錠又は解錠するようにしたことを特徴とする（請求項３参照）。この扉錠の場合も、前述したような回転阻止装置と中心位置保持装置をサムターン軸と外筒の一方又は両方に設ける（請求項４参照）方がよい。また、このサ厶ターン軸も、前述したように１本でもよいし、２部材で分割して構成してもよく適宜設計変更できる。
【発明の効果】
【００１６】  請求項１の扉錠用のサムターン装置によれば、カバー体（サ厶ターン）とクラッチ機構と付勢装置とを備え、通常時には、前記付勢装置の付勢力によりクラッチ機構の係合子と被係合子とが離脱されて、前記カバー体（サムターン）はサムターン軸に対して回転（空転）されるようにしてあるから、侵入者が該カバー体（サムターン）に室外側から針金等の不正解錠用の道具を複数本を引掛けて、左右均等な力（偶力）でサムターン軸を回動しようとしても、前記カバー体（サムターン）はサムターン軸に対して空転するだけであって、錠杆を後退して解錠することができない。従って、不正解錠されない防犯効果に強い扉錠用のサムターン装置が提供される。【００１７】  また、施解錠操作時には、前記付勢装置の付勢力に抗してカバー体を押すことによりクラッチ機構の係合子と被係合子とが係合されて、前記カバー体とサムターン軸が一体的に回動し施錠又は解錠方向に回動されるように構成してあるから、施解錠する場合には、室内側から人間の手でカバー体（サムターン）を押してクラッチ機構を係合させ、力バー体（サムターン）とサムターン軸とを同体として施錠または解錠方向に回動すれば、何ら支障なく施錠又は解錠できる扉錠用のサムターン装置が提供できる。【００１８】  請求項２の扉錠用のサムターン装置によれば、サムターン軸が傾動した状態時には、サ厶ターン軸の回動を阻止する回動阻止装置を設けてあるから、侵入者が室外側から例えば１本の針金などの不正解錠用の道具をカバー体（サムターン）に引掛け、一方向の偏った力しか掛けられない場合には、サムターン軸が傾動する。その際に、サムターン軸は回動阻止装置の作用で解錠方向に回動することができないため、請求項１の効果に加えて、更に不正解錠されない防犯効果に強い扉錠用のサムターン装置が提供できる。
また、サムターン装置の外筒とサムターン軸の一方又は両方には、サムターン軸が傾動しない状態時にはサムターン軸をサムターン軸嵌挿孔の中心位置に保持するための中心位置保持装置が設けてあるから、不正解錠用の道具によらない正常の解錠操作時には、前記回動阻止装置が作動することなく何ら支障なく解錠することができる扉錠用のサムターン装置が提供できる。【００１９】    請求項３の扉錠によれば、請求項１記載の扉錠用のサムターン装置と、錠杆と該錠杆を出没する出没操作機構とを内装して扉に取り付けられる錠ケースとを備え、前記サムターン装置の操作によりサムターン軸を回動して前記錠杆を出没させ施錠又は解錠するようにしたことを特徴とするから、前記請求項１に記載の効果と同じく、不正解錠されない防犯効果に強い上に、室内側から人間の手で操作する場合には何ら支障なく施錠又は解錠できる扉錠が提供できる。【００２０】  請求項４の扉錠によれば、前記サムターン装置の外筒とサムターン軸の一方又は両方には、サムターン軸が傾動しない状態時にはサムターン軸は回動可能であり、サムターン軸が傾動した状態時には、サムターン軸の回動を阻止する回動阻止装置を設けているから、前記請求項２に記載の効果と同じく、更に不正解錠されない防犯効果に強い扉錠が提供できる。
また、サムターン装置の外筒とサムターン軸の一方又は両方には、サムターン軸が傾動しない状態時にはサムターン軸をサムターン軸嵌挿孔の中心位置に保持するための中心位置保持装置を設けているから、前記請求項２に記載の効果と同じ効果を有する扉錠が提供できる。
【発明を実施するための最良の形態】
【００２１】  本発明に係る扉錠用のサムターン装置の最良の形態を図１〜図１５に基づいて以下に説明する。
この扉錠用のサムターン装置１０は、外筒１１と、この外筒１１に嵌挿したサムターン軸１４とを少なくとも備えている。前記サムターン軸１４の前部には、該前部の外周面１４ｂを被覆するようにほぼ筒状で且つサムターンとなるカバー体２０と、このカバー体（サムターン）２０とサムターン軸１４の前部との間には両者の連結を遮断又は接続する係合子２３と被係合子１４６とを有するクラッチ機構３０が設けてあるとともに、前記クラッチ機構３０の係合子２３と被係合子１４６とを常時は離脱させるように付勢するバネ等の付勢装置３１が設けてある。
通常時には、前記付勢装置３１の付勢力によりクラッチ機構３０の係合子２３と被係合子１４６とが離脱されているので、前記カバー体（サムターン）２０はサムターン１４軸に対して空転し、サムターン軸１４は回動されない。そして、施解錠操作時には、前記付勢装置３１の付勢力に抗してカバー体（サムターン）２０を手で押すことによりクラッチ機構３０の係合子２３と被係合子１４６とが係合されて、前記カバー体（サムターン）２０の回動によってサムターン軸１４が一体的に回動され、サムターン軸１４の回動によって錠ケース２内の錠杆３が前進又は後退して施錠又は解錠されるように構成してある。【００２２】  また、前記サムターン装置１０の外筒１１とサムターン軸１４の一方又は両方には、サムターン軸１４が傾動しない状態時にはサムターン軸１４は回動可能であり、サムターン軸１４が傾動した状態時には、サムターン軸１４の回動を阻止する回動阻止装置４０を設けてある。【００２３】  さらに、前記サムターン装置１０の外筒１１とサムターン軸１４の一方又は両方には、サムターン軸１４を常時サムターン軸嵌挿孔１２の中心位置に保持するための中心位置保持装置５０が設けてある。
【実施例１】
【００２４】  本発明の実施例の第１例を図１〜図１５に基づいて以下に説明する。
図１は本実施例１の縦断面図で、１は扉ａに取り付けた扉錠であって、この扉錠１は、錠扞３と該錠杆３を出没するためのハブ４やクリックモーション用バネ５等の出没操作機構とを内装した錠ケース２と、室内側に設けたサムターン装置１０と、室外側にサムターン装置１０と同軸的に設けたシリンダー６０などからなっている。【００２５】  なお、図７で、６はハブ取付部材、７はフロント裏板、８はフロント板、９ａは錠ケース取付ねじ、９ｂはフロント板取付ねじである。錠ケース２の側壁２ａ、２ａには案内孔２ｂ、２ｂが穿設されており、この案内孔２ｂ、２ｂ間に錠杆３の後部に固定したピン３ａが摺動可能に嵌挿されている。図７で、３ｂは錠杆３の後部に形成した被係合部であり、この被係合部３ｂにハブ４の係合部４ａを係合して、錠杆３が前進又は後退作動される。【００２６】  サムターン装置１０は、サムターン軸挿入孔１２を有する外筒１１と、サムターン軸嵌挿孔１２に回動自在に嵌挿されたサムターン軸１４と、外筒１１の前部外周および扉ａに設けた取付孔ｂを被覆したカラー１６とからなっている。【００２７】  前記外筒１１は、サムターン軸嵌挿孔１２を有する筒状の外筒主体１１Ａと、この外筒主体１１Ａの前部を被蓋し、前記サムターン軸嵌挿孔１２の一部を形成するリング体１１Ｂとで構成してある。外筒主体１１Ａとリング体１１Ｂとはねじｌ３で固定し、その露出部の外周はカラー１６で被覆してある。【００２８】  サムターン軸１４は、第１部材１４０と第２部材１４１の２部材で分割して構成してあるとともに、両部材１４０，１４１はジョイント部で連結ピン１４３により連結してある。【００２９】  前記第１部材１４０は、図１〜図３、図８、図１０、図１２に示すように、ほぼ円柱状であって、その一端（前部）側は段落して小径柱部１４４を突設するとともに、大径柱部１４５の端面（段落し面）には円周方向の等配位置に複数の歯からなる被係合子１４６‥１４６を形成し、その被係合子１４６、１４６同士間に凹部１４７を形成してある。また、小径柱部１４４と大径柱部１４５との境界円周上には他端（後部）側に向けて後述するコイルバネを嵌装するための環状溝１４８が穿設されている。さらに小径柱部１４４の前面にはすり割り状の溝１４９を形成してあり、この溝１４９の向きで錠杆３の施解錠状態を目視する標識の役割を果たしている。【００３０】  また、第１部材１４０の他端（後部）側は、断面視において階段状に小径とした段落し部１５０を形成するとともに、後端部中央に嵌合穴１５１を形成している。【００３１】  一方、第２部材１４１は、前部を小径とし後部を大径とした円柱（角柱でもよい）状のものである。その小径部１４１ａを第１部材１４０の嵌合孔１５１に嵌挿して、図３に示すように、第１部材１４０の段落し部１５０後端部と第２部材１４１の小径部１４１ａとに形成した貫通孔１４１ｃ、１５０ｃとに連結ピン１４３を嵌挿して、第１、第２部材１４０、１４１を連結する。また、大径部１４１ｂは、サムターン軸嵌挿孔１２の後部挿通孔１２ｍに挿通するとともに、該大径部１４１ｂの後端部１４ａをハブ４のハブ孔４ｂに回動方向に対して遊びが無い状態で係合している。なお、図１〜図３、図１０、図１���、図１４において、１５２、１５３はリテーナー、１５４は第２部材１４１のフランジである。すなわち、第１部材１４０と第２部材１４１とは連結した状態では外筒１１内に回転可能に嵌装されている。【００３２】  前記サムターン軸１４の前部（この実施例では第１部材１４０の前部）には、図１〜図６から判るように、室内側から見た図４を正面図とした場合、図４で示されるように正面から見て楕円形状で、かつキャップ状（略筒状）のカバー体（サムターン）２０が、該サムターン軸１４の前部の外周面１４ｂ（第１部材１４０の前面の一部及び胴体外周面の露出部の殆ど全面）を被覆し、かつ回転できるよう嵌装してある。【００３３】  すなわち、カバー体（サムターン）２０は、その前端面を楕円形状の鍔部２１で胴部と連続的に形成してあり、その鍔部２１の中央部にサムターン軸１４の前端部（第１部材１４０の小径柱部１４４の前端部）を嵌挿する嵌挿孔２２が形成されている。前記鍔部２１の裏面（第１部材１４０の大径柱部１４５と相対する面）には円周方向の等配位置に複数の歯からなる係合子２３・・・２３を形成し、その係合子２３、２３同士間に凹部２４を形成してある（図１〜図３、図８参照）。【００３４】  前記係合子２３と凹部２４と被係合子１４６と凹部１４７とはクラッチ機構３０を構成するもので、これらの構成要素はカバー体（サムターン）２０とサムターン軸１４の連結を遮断又は接続するものである。
また、カバー体（サムターン）２０の鍔部２１の裏面と第１部材１４０の環状溝１４８との間には、前記クラッチ機構３０の係合子２３と被係合子１４６とを常時は離脱させるように付勢するコイルバネ等の付勢装置３１とを備えている。
それゆえ、図１〜図３に示すように、通常時には、前記付勢装置３１の付勢力によりクラッチ機構３０の係合子２３と被係合子１４６とは離脱されているので、室外側から室内側に不正解錠用の道具を差し込み又は室内側から人間の手で回そうとした場合、カバー体（サムターン）２０はサムターン軸１４に対して回転（空転）されるため、サムターン軸１４は回動されないので、施錠状態の錠杆を後退させて解錠することはできない。【００３５】  施解錠操作時には、前記付勢装置３１の付勢力に抗してカバー体（サムターン）２０を室内側から手で押すことによりクラッチ機構３０の係合子２３と被係合子１４６とが係合されて（図１０、図１１参照）、前記カバー体（サムターン）２０とサムターン軸１４とが一体的に回動し施錠又は解錠方向に回動されるように構成してある。従って、カバー体（サムターン）２０の回動によってサムターン軸１４が回動し、錠ケース内の錠杆が前進又は後退して施錠又は解錠される。例えば、図４の施錠状態において、カバー体（サムターン）２０を解錠方向に９０度回動することにより錠杆３が後退して解錠されるとともに、カバー体（サムターン）２０及びサムターン軸１４も９０度回動されて、サムターン軸１４のすり割り溝１４９は図４の水平方向から垂直方向に変更されて解錠状態を標示する。【００３６】  なお、カバー体（サムターン）２０の長軸線上の裏面には、図３、図８及び図１１に示すようにネジ孔２５が形成してある。このカバー体（サムターン）２０の裏面には、サムターン軸１４の第１部材１４０の後部に形成した段落し部１５０の段部１５０ａに常時には係止されるようにした座板２６を当てがって、前記カバー体（サムターン）２０のネジ孔２５と座板２６に形成したネジ孔２７とを位置合わせして両ネジ孔２５、２７にネジ２８をねじ込み、カバー体（サムターン）２０と座板２６を固定してある。つまり、カバー体（サムターン）２０は、座板２６を介してサムターン軸１４の第１部材１４０に対して抜け止めされるとともに、カバー体（サ厶ターン）２０の押圧時には同カバー体（サムターン）２０と座板２６とは一体となって、サムターン軸１４の第１部材１４０に対して後退摺動される（図１０、図１１参照）。【００３７】  カバー体（サムターン）２０とサムターン軸１４の第１部材１４０と座板２６並びにに付勢装置３１を組み付ける場合の一例を、図１〜図３、図８に沿って以下に簡単に説明する。
先ず、第１部材１４０の環状溝１４８に付勢装置３１を嵌挿してから、第１部材１４０にカバー体（サムターン）２０を、係合子２３と被係合子１４６とが対面するようにして、嵌合する。【００３８】  次に、第１部材１４０の後方から座板２６の嵌挿孔２６ａへ該第１部材１４０を嵌挿し、座板２６の嵌通孔２６ａを形成した内向き鍔部２６ｂを、第１部材１４０の後部に形成した段落し部１５０の段部１５０ａに係止する。それとともに、座板２６のネジ孔２７とカバー体（サ厶ターン）２０のネジ孔２５とを位置合わせして、両ネジ孔２７、２５にネジ２８をねじ込み、カバー体（サムターン）２０と座板２６とを固定する。
このとき、係合子２３と被係合子１４６とは、付勢装置３１の付勢力によって離間しているので、カバー体（サムターン）２０に一定の回転力を加えれば、該カバー体（サムターン）２０と座板２６とは一体となって、第１部材１４０（サムターン軸１４）に対し回転（空転）される。【００３９】  一方、カバー体（サムターン）２０を手で押すと、図８〜図１１に示すように、クラッチ機構である、係合子２３は相手方の凹部１４７に被係合子１４６は相手方の凹部２４に係合される。そこでカバー体（サムターン）２０を手で把持して一定角度回動すると、サムターン軸１４はカバー体（サムターン）２０と同体となって施錠又は解錠方向へ回動されるため、サムターン軸１４の後端部１４ａがハブ４を介して錠ケース内の錠杆３を前進又は後退して施錠又は解錠する。この場合、カバー体（サムターン）２０と座板２６とは一体となって、図１０及び図１１に示すように、第１部材１４０に対して後退摺動している。【００４０】  回転状態のカバー体（サムターン）２０から手を離すと、カバー体（サムターン）２０は、図示されていないバネなどによって原姿勢に回転復帰するとともに、前記バネ３１の付勢力により図１〜図３に示すように、クラッチ機構３０である係合子２３と被係合子１４６との係合が解除され、カバー体（サムターン）２０は空転状態となる。【００４１】  また、本発明は、前記サムターン装置１０における外筒１１（本実施例ではリング体１１Ｂ）のサムターン軸嵌挿孔１２の内周面１２ａとサムターン軸１４の外周面１４ｂの一方又は両方には、サムターン軸１４が傾動しない正常な操作時において前記サムターン軸１４はカバー体（サムターン）２０を把持し押して回すことにより解錠方向に回動可能であり、針金や紐あるいはその他の工具等の不正解錠用の道具（図示せず）によりサムターン軸１４が傾動した状態時（以下単に不正操作時ともいう。）において、サムターン軸１４の解錠方向への回動を阻止する回動阻止装置４０を設けている（請求項４、請求項２、図１〜図３、図８、図１０〜図１２、図１４参照）。【００４２】  前記回動阻止装置４０は、図１〜図３及び図１２等に示されているように、外筒１１のリング体１１Ｂに形成されたサムターン軸嵌挿孔１２に圧入嵌合等により固定されて内周壁に複数の係合凹部４２を有する外リング４１と、外周に複数の突起４４を有する内リング４３からなっている。前記外リング４１は、外筒１１のリング体１１Ｂの後部に形成された大径筒部１１ｃに、図２及び図３に示されているように後方から圧入嵌合等により固定される。また、内リング４３の嵌挿孔４３ａには、サムターン軸１４の小径部１４１ａが嵌挿される。【００４３】  内リング４３と外リング４１とのサムターン装置１０への組み付け例を以下に説明する。
前述したように、クラッチ機構３０とバネ３１と座板２６とリテーナー１５２とを取り付けたサムターン軸１４の第１部材１４０と、小径部１４１ａの後部に嵌装された内リング４３を有し、かつ外筒主体１１Ａのサムターン軸嵌挿孔１２に嵌挿されたサムターン軸１４の第２部材１４１と、後部の大径筒部１１Ｃに外リング４１を固定された外筒１１のリング体１１Ｂとを用意する。【００４４】  そこで、前記内リング４３を有する第２部材１４１を嵌装した外筒主体１１Ａの前部に、外リング４１を有する外筒１１のリング体１１Ｂを重合して無理嵌めなどするとともに、ねじ１３で固定する。このとき、内リング４３の外周面と外リング４１の内周面との間には、サムターン軸１４が傾動しない正常な操作状態時に、接触することのない遊びｘが形成されている（図１〜図３、図１２参照）。次に、前述した第１部材１４０の後部に形成した嵌合孔１５１に、前述の如く組み付けられた、サムターン軸１４の第２部材１４１の小径部１４１ａを嵌挿して、前述したように第１部材１４０と第２部材１４１とを連結ピン１４３で連結する。【００４５】  また、前記リング体１１Ｂの外リング４１が設けてある以外の内周面１２ａの内周方向には、図１〜図２及び図１３等に示すように中心位置保持装置５０が設けてある。
この場合の中心位置保持装置５０は、外筒１１のリング体１１Ｂに、サムターン軸嵌挿孔１２から外周方向に向けて複数のピン孔５１を放射状に穿設し、各ピン孔５１には、一端をサムターン軸１４の外周面１４ｂに摺接するピン５２と、該ピン５２を前記サムターン軸１４の外周面１４ｂ方向へ付勢するバネ５３とを嵌装している。この場合のピン５２はステンレススチールなどの弾性素材で製作されているので、ピン５２を押えることにより簡単にピン孔５１に嵌合できる。各ピン５１に嵌装したピン５２及びバネ５３はそれぞれ同一のものを使用しているので、各ピン５２がサムターン軸１４の外周面１４ｂに摺接する力も同一である。そのため、サムターン軸が傾動しない正常な操作状態時には、サムターン軸１４はサムターン軸嵌挿孔１２の中心位置に全周に遊びｘをもって保持され解錠方向に回動可能である。ピン孔５１、ピン５２及びバネ５３は中心位置保持装置５０を構成する。【００４６】  不正操作時、つまり不法に侵入しようとする者が、針金や紐等の不正解錠用の道具を利用して室内側のサムターン装置のサムターン軸１４のカバー体（サムターン）２０に引っ掛けて、サムターン軸１４を解錠方向に回動しようとする場合、例えばカバー体（サムターン）２０に図１４で矢印Ｐ方向の力が作用した場合には、手による操作とは異なって、カバー体（サムターン）２０には一方向の力しか作用しないので、サムターン軸１４の動きは、図１４及び図１５に示す状態となる。すなわち、中心位置保持装置５０の上部のピン５２、５２は、サムターン軸１４の外周面１４ｂの上面により押圧されるとともに、該外周面１４ｂの上面はバネ５３の付勢力に抗して前記内周面１２ａ上面に強く圧着される。また、図１４に示される如く、回動阻止装置４０は、サムターン軸１４（小径部１４１ａ）に設けた内リング４３の上面側の突起３は外リング４１の内周面に形成した係合凹部４２に係合され、サムターン軸１４の回動は阻止される。このようにして、回動阻止装置４０（４１、４３）により、不正解錠用の道具による不正解錠を防止することができる。【００４７】  この回動阻止装置４０は、図１に示すように、サムターン軸１４を外筒１１内に嵌挿した状態において、サムターン軸が傾動しない正常な操作状態時には、外筒１１側の外リング４１に形成した係合凹部４２と、サムターン軸１４に外嵌めした内リング４３の外周に形成した突起４４とは、図１〜図３及び図１２に示すように、係合せず離間しているので、サムターン軸１４はカバー体（サムターン）２０を把持して押してクラッチ機構３０を入れることにより、解錠方向に支障なく回動できるため、錠杆が後退されて解錠できる。【００４８】  シリンダー６０は、扉ａに貫通した取付孔ｂに前記サムターン装置１０と同軸的に取り付けてあり、公知の如く、キー孔６２を有する内筒６１と、内筒６１を回転可能に嵌装した外筒６３と、外筒６３を被覆するカラー６４とを備えている。また、内筒６１と外筒６３とには、複数の下ピン孔６５又は上ピン孔６６が両者が連通するように形成され、下ピン孔６５に下ピン６７が上ピン孔６６に上ピン６８がそれぞれ挿入され、キーをキー孔６２に差し込んでいない状態、又はキーが適合していない状態のときには、ピンバネ６９の付勢力によって上下両ピンの境界線は、内筒６１と外筒６３とのシャーラインと不一致であるため、内筒６１を動かすことができない。キー孔６２に適合するキーＫを挿入した場合には、上下両ピンの境界線とシャーラインとが一致するため内筒６１を回動することができ、錠杆を出没して施解錠できるようになっている。
なお、図１、図１４で、１２ｍはサムターン軸１４の後部を嵌挿する後部挿通孔、７０はハブ４を操作するためのシリンダー６０の操作杆、７１、７２はカラーバネである。
【実施例２】
【００４９】  本発明の実施例の第２例である扉錠用のサムターン装置について、実施例１の図面である図１〜図１５を援用して以下に説明する。
この実施例２は、扉錠用のサムターン装置の単品に関するもので、実施例１の扉錠３から錠杆３と該錠扞３を出没する出没操作機構とを内装して扉に取り付けられる錠ケース２とを取り除いたものである。【００５０】  すなわち、この扉錠用のサムターン装置１０は、外筒１１と、この外筒１１に嵌挿したサムターン軸１４とを少なくとも備え、前記サムターン軸１４の前部には、該前部の外周面１４ｂを被覆するように設けたカバー体（サムターン）２０と、このカバー体（サムターン）２０とサムターン軸１４の前部との間には両者の連結を遮断又は接続する係合子２３と被係合子１４６とを有するクラッチ機構３０と、前記クラッチ機構３０の係合子２３と被係合子１４６とを常時は離脱させるように付勢する付勢装置（バネ）３１とを設けている。そして、通常時には、前記付勢装置（バネ）３１の付勢力によりクラッチ機構３０の係合子２３と被係合子１４６とが離脱されて、前記カバー体（サムターン）２０はサムターン１４軸に対して回転可能であるとともに、施解錠操作時には、前記付勢装置（バネ）３１の付勢力に抗してカバー体（サムターン）２０を手で押すことによりクラッチ機構３０の係合子２３と被係合子１４６とが係合されて、前記カバー体（サムターン）２０とサ厶ターン軸１４とが一体的に回動し、施錠又は解錠方向に回動されるように構成してある（請求項１参照）。従って、サムターン軸１４の回動によって錠ケース２内の錠杆３が前進又は後退して施錠又は解錠される。
なお、詳しくは上記実施例１の説明や図面を参照するとよい。【００５１】  この実施例２のカバー体（サムターン）２０やサムターン軸１４などの作用などは、実施例１の場合と同様であるので説明を省略する。例えば、［００３４］、［００３５］等を参照するとよい。【００５２】  また、この実施例の扉錠用のサムターン装置は、第１実施例と同様に、サムターン装置１０の外筒１１とサムターン軸１４の一方又は両方には、サムターン軸１４が傾動しない状態時にはサムターン軸１４は回動可能であり、不正解錠用の道具によりサムターン軸１４が傾動した時には、サムターン軸１４の回動を阻止する回動阻止装置４０を設けた（請求項２参照）方が好ましい。
さらに、この扉錠用のサムターン装置１０は、実施例１と同様に、外筒１１とサムターン軸１４の一方又は両方には、サムターン軸１４が傾動しない状態時にはサムターン軸１４をサムターン軸嵌挿孔１２の中心位置に保持するための中心位置保持装置５０を設けること（請求項２参照）もできる。
【実施例３】
【００５３】  本発明の実施例の第３例である扉錠用のサムターン装置について、図１６〜図２１に基づいて以下に説明する。この実施例３は、前記実施例２と同様に扉錠用のサムターン装置の単品に関するものであって、カバー体（サムターン）２０をサムターン軸１４の回転軸線より偏心位置に設けている点に特徴を有する。その他の構成は実施例１で示したサムターン装置１０と同様であるので、詳しくは実施例１の説明を参考にするとよい。【００５４】  この場合のサムターン軸１４は、第１部材１４０が実施例１のものと異なり、第２部材１４１は同じものである。この第１部材１４０の後部には、図１８及び図２０に示すように、サムターン軸１４の回転軸線Ｌ上の位置に嵌合孔１５１を形成し、この嵌合孔１５１に第２部材１４１の小径部１４１ａを嵌挿し、該小径部１４１ａと第１部材１４０の後部とを連結している。また、サムターン軸１４の回転軸線Ｌより偏心した位置には、前記嵌合孔１５１を形成した後部と連続して円筒部１４０Ａが形成してあり、この円筒部１４０Ａの内側壁の中程には内向きの環状鍔部１６０が形成されているとともに、円筒部１４０Ａの前面には図８に示すような被係合子１４６と凹部１４７とが交互に複数組形成されている。また、円筒部１４０Ａの環状鍔部１６０と後述するカバー体（サ厶ターン）２０との間には付勢装置（バネ）３１を設けている。【００５５】  この場合のカバー体（サムターン）２０は、有底の筒状キャップ形状で、底板部２０ａの内底部中央から上部にネジ柱２９を立設している。そして、前記円筒部１４０Ａにカバー体（サムターン）２０を嵌合して、ネジ柱２９にワッシャー１６１を介してネジ２８で固定することにより、円筒部１４０Ａとカバー体（サムターン）２０とを結合する。また、カバー体（サムターン）２０の底板部２０ａの内底部外周には、図８に示すような係合子２３と凹部２４とが交互に複数組形成され、円筒部１４０Ａとカバー体（サムターン）２０とを結合した状態では相対向するようにしてある。
この場合のクラッチ機構３０（２３、２４、１４６、１４７）の作用は実施例１で説明した通りである。
なお、この実施例においても、実施例１、２と同様に、回動阻止装置４０と中心位置保持装置５０とを備えている。【００５６】  この実施例３の作用は、前記実施例１、２の場合と基本的には同様であるが、カバー体（サムターン）２０が回転軸線Ｌより偏心位置に設けてあるから、実施例１、２に比べて、より一層不正解錠され難いという利点を有する。【００５７】  今、図１６〜図１８は施錠状態の通常時を示すと仮定すると、前記バネ３１の付勢力によりクラッチ機構３０の係合子２３と被係合子１４６とは離脱されているので、室外側から室内側に不正解錠用の道具を差し込み又は室内側から手で回そうとした場合、カバー体（サムターン）２０はサムターン軸１４に対して回転（空転）されてサムターン軸１４が回動されないため、施錠状態の錠杆を後退させて解錠することはできない。のみならず、この場合のカバー体（サムターン）２０はサムターン軸１４の回転軸線Ｌより偏心位置に設けてあるから、室外側から不正解錠用の道具をカバー体（サムターン）２０に引掛けてサムターン軸１４を回動しようとしても、その偏心力が働いてサムターン軸１４がより一層回動され難く、不正解錠が防止される。【００５８】  上記施錠状態（図１６〜図１８）から手による正常な操作により解錠状態とするには、前記バネ３１の付勢力に抗してカバー体（サムターン）２０を室内側から手で押すことによりクラッチ機構３０の係合子２３と被係合子１４６とが係合されて（図１９、図２０参照）、前記カバー体（サムターン）２０がサムターン軸１４と同体となって施錠又は解錠方向に回動されるように構成してあるので、カバー体（サムターン）２０を解錠方向に回動することにより、サムターン軸１４の回動によって錠ケース内の錠杆が後退して解錠される。このとき、カバー体（サムターン）２０を解錠方向に９０度回動することにより錠杆３が後退して解錠されるとともに、カバー体（サムターン）２０及びサムターン軸１４も図２に示すように９０度回動される。
なお、この場合、図１９及び図２０の状態でカバー体（サムターン）２０を施錠方向に９０度回動すれば、図１６〜図１８の状態となる。【００５９】  なお、この実施例３の扉錠用のサムターン装置１０は、錠杆３と該錠杆３を出没する出没操作機構とを内装した錠ケース２に取り付けて扉錠としても採用することができる。例えば、実施例１で示した図４〜図７の扉錠のほか、その他の扉錠にも採用することができる。【００６０】  サムターン軸１４は、各実施例では断面が円形状のものを用いているが、断面が多角形状や楕円形状等のものを採用することもできる。また、サムターン軸１４は、各実施例では２本に分割されたものを用いているが、３本以上に分割されたものや、１本のもの等でも実施できる。【００６１】  カバー体（サムターン）２０の材質は、本発明では特に限定しないが、耐火性に強いステンレススチールなどの金属製などが好ましい。また、カバー体（サムターン）２０の形状は実施例図のものに限らず、適宜設計変更できる。【００６２】  クラッチ機構３０は、各実施例で示すように歯と歯との係合によるものに限らず、摩擦係合によるものなどでも採り得るし、またクラッチ機構３０の形成位置も適宜設計変更できる。【００６３】  回動阻止装置４０としては、図示の構造のものに限定されるものではなく、その他種々設計変更できる。例えば、サムターン軸１４の外周面にのこ歯状の多数の歯を形成するとともに、外筒１１（１１Ｂ）の内周面１２ａにも多数の歯を形成したものでもよい。中心位置保持装置５０は、本発明では必須のものではなく、これがなくても、サムターン軸１４が傾動しない状態時には解錠方向に回動できるものであればよい。【００６４】  また、回動阻止体３４は、外筒１１のサムターン軸嵌挿孔１２の内周面１２ａとサムターン軸１４の内周面１４ａいずれか一方又は両方に、摩擦抵抗の大きい材質からなるＯリング等を設けたものも本発明に含むことは勿論である。
【産業上の利用可能性】
【００６５】  本発明の扉錠用のサムターン装置は錠ケースとセットすることによって、扉錠ともなる。また、実施例１においては、扉錠としてサ厶ターン装置１０とシリンダー５０とを備えたものについて説明したが、本発明は、シリンダー５０は設けずにサムターン装置１０のみ備えた扉錠にも適用することができる。
【図面の簡単な説明】
【００６６】
【図１】本発明の実施例１におけるカバー体（サ厶ターン）が回転可能でサ厶ターン軸が傾動しない状態時の図５の縦断面図である。（実施例１）
【図２】図１におけるサムターン装置の拡大縦断面図である。（実施例１・実施例２）
【図３】図５におけるサムターン装置の拡大水平縦断面図である。（実施例１・実施例２）
【図４】本発明の実施例１における室内側から見た正面図である。（実施例１）
【図５】図４の右側面図である。（実施例１）
【図６】図４の底面図である。（実施例１）
【図７】錠ケースの縦断面図である。（実施例１）
【図８】クラッチ機構の分解斜視図である。（実施例１・実施例２）
【図９】クラッチ機構が係合した状態の説明図である。（実施例１・実施例２）
【図１０】カバー体（サムターン）を押してクラッチ機構が係合している状態のサムターン装置の拡大縦断面である。（実施例１・実施例２）
【図１１】図１０と同じ状態のサムターン装置の拡大水平断面図である。（実施例１・実施例２）
【図１２】サムターン軸が傾動しない状態時の回動阻止装置を示す縦断面図である。（実施例１・実施例２）
【図１３】サムターン軸が傾動しない状態時の中心位置保持装置を示す縦断面図である。（実施例１・実施例２）
【図１４】サムターン軸が傾動した状態時の縦断面図である。（実施例１）
【図１５】サムターン軸が傾動した状態の回動阻止装置を示す縦断面図である。（実施例１・実施例２）
【図１６】本発明の実施例３におけるサムターン装置の正面図である。（実施例３）
【図１７】図１６の縦断面図である。（実施例３）
【図１８】図１６の水平断面図である。（実施例３）
【図１９】カバー体（サムターン）を押してクラッチ機構が係合している状態のサムターン装置の縦断面図である。（実施例３）
【図２０】カバー体（サムターン）を押してクラッチ機構が係合している状態のサムターン装置の水平断面図である。（実施例３）
【図２１】カバー体（サムターン）を回動した状態のサ厶ターン装置の正面図である。（実施例３）
【図２２】先行技術の正面図である。
【符号の説明】
【００６７】１        扉錠
２        錠ケース
３        錠杆
４        ハブ
１０      サムターン装置
１１      外筒
１１Ｂ    リング体
１２      サムターン軸嵌挿孔
１２ａ    内周面
１４      サムターン軸
１４ｂ    外周面
２０      カバー体（サムターン）
２３      係合子（クラッチ機構）
２４      凹部（クラッチ機構）
２６      座板
３０      クラッチ機構
３１      付勢装置（バネ）
４０      回動阻止装置
４１      外リング
４２      係合凹部
４３      内リング
４４      突起
５０      中心位置保持装置
５１      ピン孔
５２      ピン
５３      バネ
６０      シリンダー
１４０    第１部材
１４１    第２部材
１４４    小径柱部
１４５    大径柱部
１４６    被係合子（クラッチ機構）
１４７    凹部（クラッチ機構）
１５０    扉段落し部
ａ        扉
Ｋ        キー
Ｌ        回転軸線
ｍ        不正解錠用の道具
ｘ        遊び
【図１】
2005068977.tif 000003
【図２】
2005068977.tif 000004
【図３】
2005068977.tif 000005
【図４】
2005068977.tif 000006
【図５】
2005068977.tif 000007
【図６】
2005068977.tif 000008
【図７】
2005068977.tif 000009
【図８】
2005068977.tif 000010
【図９】
2005068977.tif 000011
【図１０】
2005068977.tif 000012
【図１１】
2005068977.tif 000013
【図１２】
2005068977.tif 000014
【図１３】
2005068977.tif 000015
【図１４】
2005068977.tif 000016
【図１５】
2005068977.tif 000017
【図１６】
2005068977.tif 000018
【図１７】
2005068977.tif 000019
【図１８】
2005068977.tif 000020
【図１９】
2005068977.tif 000021
【図２０】
2005068977.tif 000022
【図２１】
2005068977.tif 000023
【図２２】
2005068977.tif 000024